(57)【特許請求の範囲】
【請求項１】
ベッドの床部を背部支持枠（６）と腰部支持枠（７）と脚部支持枠（１９）とに分割し、前記背部支持枠（６）と腰部支持枠（７）を並設した状態でベッド本体（１）に設け、さらに、前記腰部支持枠（７）に前記脚部支持枠（１９）を並設したベッドにおいて、ヘッドボード（Ｈ）側を前方として、背部支持枠（６）の後端部を前記ベッド本体（１）に起伏回動自在に枢着する一方、モーター（９）により起伏される背上げアーム（８）によって背上げ可能とし、その一方で、スライド枠（１７）を前方下がりの傾いた状態かつ該スライド枠（１７）の前部と後部を通る直線上において前後へ移動可能にベッド本体（１）に設け、該スライド枠（１７）に前記脚部支持枠（１９）の後端部を枢着すると共に、該脚部支持枠（１９）の前部を前記スライド枠（１７）に上下方向回動可能に設けた揺動部材（２０）で支持し、さらに、前記ベッド本体（１）にストッパー（２１）を設けて前記揺動部材（２０）の下方回動を規制することで、前記脚部支持枠（１９）を前記腰部支持枠（７）に並設した状態で保持すると共に、この状態から前記スライド枠（１７）を前下方へ移動することで、前記揺動部材（２０）に対する前記ストッパー（２１）の当接状態が変化し、前記揺動部材（２０）が下方回動され、前記脚部支持枠（１９）が前記スライド枠（１７）と略々平行な状態となるように下方回動される一方、前記脚部支持枠（１９）を前記スライド枠（１７）と共に前記腰部支持枠（７）の下方まで移動可能に構成してなる収納機構（Ａ）を設け、さらに、前記背部支持枠（６）の中間部に主リンク（２４）の一端部を枢着する一方、該主リンク（２４）の中間部と前記ベッド本体（１）を補助リンク（２６）で連結することで、前記背部支持枠（６）の背上げにより前記主リンク（２４）の他端部を前方へ移動可能に構成してなるリンク機構（２３）を設けると共に、前記主リンク（２４）の前記背部支持枠（６）への取り付け側他端部と前記収納機構（Ａ）のスライド枠（１７）を連結ロッド（２７）で連結することで、前記背部支持枠（６）を背上げすると、前記リンク機構（２３）が作動し、前記連結ロッド（２７）を介して前記収納機構（Ａ）のスライド枠（１７）を前下方へ移動させ、前記脚部支持枠（１９）を前記腰部支持枠（７）に並設した位置から腰部支持枠（７）の下方まで移動可能に構成したことを特徴とするベッド。
【請求項２】
切換手段（２８）を、前記背部支持枠（６）に突設した一対のブラケット（３０），（３０）と、該ブラケット（３０），（３０）間に回動可能に設けたフック部材（３１）と、前記リンク機構（２３）の主リンク（２４）の背部支持枠（６）側端部に設けた支軸（３２）と、該支軸（３２）が嵌脱可能な前記ブラケット（３０），（３０）下部に設けた下方側に開口した溝（３０ａ），（３０ａ）と、前記フック部材（３１）に一体的に設けた切換操作レバー（３３）と、一方の前記ブラケット（３０）とフック部材（３１）間に設けた該フック部材（３１）の回動した状態を保持するためのキックスプリング（３４）から構成し、前記支軸（３２）を溝（３０ａ），（３０ａ）に嵌合した状態で、前記切換操作レバー（３３）を用いてフック部材（３１）を回動し、該フック部材（３１）と溝（３０ａ），（３０ａ）で支軸（３２）を狭持した状態とすることで、背部支持枠（６）の背上げに連動してリンク機構（２３）が作動し、脚部支持枠（１９）が腰部支持枠（７）の下方に移動する前記背部支持枠（６）とリンク機構（２３）の連結状態と、背部支持枠（６）を背上げしていない状態において、前記切換操作レバー（３３）を用いて前記フック部材（３１）を回動し、支軸（３２）を該フック部材（３１）と溝（３０ａ），（３０ａ）で狭持した状態を解除することで、背部支持枠（６）を背上げした際に、支軸（３２）が前記溝（３０ａ），（３０ａ）から抜け出てベッド本体（１）に固着された受け部材（３５），（３５）に保持されることにより、前記リンク機構（２３）は作動せず、脚部支持枠（１９）が固定された状態となる前記背部支持枠（６）とリンク機構（２３）の非連結状態とに、当該切換手段（２８）によって切換可能としたことを特徴とする請求項１に記載のベッド。
【発明の詳細な説明】
【０００１】
【産業上の利用分野】
本発明は、身体障害者や老人等が使用するのに適したベッドに関するものである。
【０００２】
【従来の技術】
従来、身体障害者等がベッドから立ち上がり、車椅子やトイレ等へ移動する場合、ベッド上で仰臥している状態から上半身を起こし、さらにベッド側部に腰掛けた状態となるように身体を捻らなければならず、身体障害者等にとってその姿勢変換が極めて大きな負担となっていた。
【０００３】
【発明が解決しようとする課題】
そこで本発明は、ベッド上で仰臥している身体障害者や老人等が車椅子やトイレ等に移動するために床面に足を着けた腰掛け状態に姿勢変換する際、無理な体位変換をすることなく極めて容易に前記腰掛け状態となることができるベッドを提供することを課題としている。
【０００４】
【課題を解決するための手段】
本発明は上記課題を解決するために、次のようにした。すなわち、ベッドの床部を背部支持枠６と腰部支持枠７と脚部支持枠１９とに分割し、前記背部支持枠６と腰部支持枠７を並設した状態でベッド本体１に設け、さらに、前記腰部支持枠７に前記脚部支持枠１９を並設したベッドにおいて、ヘッドボードＨ側を前方として、背部支持枠６の後端部を前記ベッド本体１に起伏回動自在に枢着する一方、モーター９により起伏される背上げアーム８によって背上げ可能とし、その一方で、スライド枠１７を前方下がりの傾いた状態かつ該スライド枠１７の前部と後部を通る直線上において前後へ移動可能にベッド本体１に設け、該スライド枠１７に前記脚部支持枠１９の後端部を枢着すると共に、該脚部支持枠１９の前部を前記スライド枠１７に上下方向回動可能に設けた揺動部材２０で支持し、さらに、前記ベッド本体１にストッパー２１を設けて前記揺動部材２０の下方回動を規制することで、前記脚部支持枠１９を前記腰部支持枠７に並設した状態で保持すると共に、この状態から前記スライド枠１７を前下方へ移動することで、前記揺動部材２０に対する前記ストッパー２１の当接状態が変化し、前記揺動部材２０が下方回動され、前記脚部支持枠１９が前記スライド枠１７と略々平行な状態となるように下方回動される一方、前記脚部支持枠１９を前記スライド枠１７と共に前記腰部支持枠７の下方まで移動可能に構成してなる収納機構Ａを設け、さらに、前記背部支持枠６の中間部に主リンク２４の一端部を枢着する一方、該主リンク２４の中間部と前記ベッド本体１を補助リンク２６で連結することで、前記背部支持枠６の背上げにより前記主リンク２４の他端部を前方へ移動可能に構成してなるリンク機構２３を設けると共に、前記主リンク２４の前記背部支持枠６への取り付け側他端部と前記収納機構Ａのスライド枠１７を連結ロッド２７で連結することで、前記背部支持枠６を背上げすると、前記リンク機構２３が作動し、前記連結ロッド２７を介して前記収納機構Ａのスライド枠１７を前下方へ移動させ、前記脚部支持枠１９を前記腰部支持枠７に並設した位置から腰部支持枠７の下方まで移動可能に構成したことを特徴とするベッドとした。
【０００５】
また、切換手段２８を、前記背部支持枠６に突設した一対のブラケット３０，３０と、該ブラケット３０，３０間に回動可能に設けたフック部材３１と、前記リンク機構２３の主リンク２４の背部支持枠６側端部に設けた支軸３２と、該支軸３２が嵌脱可能な前記ブラケット３０，３０下部に設けた下方側に開口した溝３０ａ，３０ａと、前記フック部材３１に一体的に設けた切換操作レバー３３と、一方の前記ブラケット３０とフック部材３１間に設けた該フック部材３１の回動した状態を保持するためのキックスプリング３４から構成し、前記支軸３２を溝３０ａ，３０ａに嵌合した状態で、前記切換操作レバー３３を用いてフック部材３１を回動し、該フック部材３１と溝３０ａ，３０ａで支軸３２を狭持した状態とすることで、背部支持枠６の背上げに連動してリンク機構２３が作動し、脚部支持枠１９が腰部支持枠７の下方に移動する前記背部支持枠６とリンク機構２３の連結状態と、背部支持枠６を背上げしていない状態において、前記切換操作レバー３３を用いて前記フック部材３１を回動し、支軸３２を該フック部材３１と溝３０ａ，３０ａで狭持した状態を解除することで、背部支持枠６を背上げした際に、支軸３２が前記溝３０ａ，３０ａから抜け出てベッド本体１に固着された受け部材３５，３５に保持されることにより、前記リンク機構２３は作動せず、脚部支持枠１９が固定された状態となる前記背部支持枠６とリンク機構２３の非連結状態とに、当該切換手段２８によって切換可能としたことを特徴とするベッドとした。
【０００９】
【作用】
このベッドの上面に仰臥している身体障害者等が床面に足を垂らした椅子掛け状態に姿勢変換する場合、まず背上げアームを作動させて背部支持枠を起立回動させていく。この作動初期段階では、背部支持枠と腰部支持枠のみが上動して腰部支持枠と脚部支持枠の各端面が上下に離間するので、身体障害者は膝が軽く屈曲した楽な姿勢になると共に脚部支持枠の前方スライドが容易になる空間が形成される。この状態からさらに背部支持枠を起立回動させていくと、脚部支持枠が腰部支持枠の下部に傾斜しながらスライドしていく。
【００１０】
そして、背部支持枠の起立回動最終段階では、脚部支持枠が腰部支持枠の直下部に位置する状態まで移動する。このとき、ベッド上の身体障害者等は足を床面に垂れ下げた椅子掛け状態になっており、ベッド側部に設けられる手摺等を手掛かりとして、容易に立ち上がることができる。
【００１１】
また、背部支持枠が水平状態にあるときに切換手段を作用させて背部支持枠と主リンクを非連結状態とすれば、背部支持枠を起立回動させても脚部支持枠は固定されており、背部支持枠のみを起立回動させて身体障害者の上半身だけを起こした姿勢にすることができる。
【００１２】
【実施例】
以下、本発明の実施例について図面に基づき詳細に説明する。
なお、本実施例では、ベッドのヘッドボードＨ側を前方とし、反ヘッドボードＨ側を後方としている。
【００１３】
図中の符号１はベッド本体である。このベッド本体１は、床面上に載置される固定フレーム２と昇降フレーム３とを平行リンク機構４により連結してなり、昇降フレーム３を昇降可能に構成している。すなわち、前記平行リンク機構４は適宜伸縮作動可能なアクチュエータ５により作動されるよう設けられており、図３に示すように、このアクチュエータ５の伸縮作動によって昇降フレーム３の高さを適宜設定変更可能となっている。
【００１４】
前記昇降フレーム３の上面には、背部支持枠６と腰部支持枠７が前後に並設されている。そして、この両支持枠６，７の隣接側端部はそれぞれ昇降フレーム３に起伏回動可能に枢着されている。８は背上げアームであり、モーター９の作動により起伏可能に設けられ、先端部に設けられる転動自在なローラー１０が前記背部支持枠６の裏面に当接して押し上げることにより、背部支持枠６が上動するように設けられている。なお、１１，１１，１２，１２は、それぞれ前記背部支持枠６と腰部支持枠７を水平状態に支持する支持部材である。
【００１５】
前記背部支持枠６と腰部支持枠７の間には、背部支持枠６の上動に連動して腰部支持枠７が上動するように連動機構１３が設けられている。この連動機構１３は、背部支持枠６の基端側下部にカムローラー１４を先端に設けた板部材１５を突設し、一方腰部支持枠７の基端側下部にはカム板１６を設け、前記カムローラー１４がカム板１６の端面に沿って転動するように設けられている。すなわち、背部支持枠６の起伏作動によりカムローラー１４がカム板１６の端面を押し下げて腰部支持枠７を揺動させるようになっている。なお、腰部支持枠７の傾斜角度や連動のタイミング等は、カムローラー１４の位置やカム板１６の端面形状により設定され、本実施例では図４及び図５に示すように、背部支持枠６の起立回動初期段階で腰部支持枠７が連動してやや上動し、さらに背部支持枠６を起立回動しても腰部支持枠６はこの状態で保持されるように設定されている。
【００１６】
１７はスライド枠であり、前記昇降フレーム３の後方下部においてローラー１８，１８，・・・により挟持され、後方上がりの斜め方向にスライド可能に設けられている。そして、このスライド枠１７の後端部には脚部支持枠１９の後端部が枢着されている。この脚部支持枠１９の前側は、上下方向回動可能な揺動部材２０により支持されている。また、この揺動部材２０は昇降フレーム３に設けられるストッパー２１により下方回動側を規制されている。
【００１７】
すなわち、前記脚部支持枠１９は、通常、図６に示すように水平状態に支持されているが、スライド枠１７を矢印方向へスライドさせていくと、図７に示すように、揺動部材２０が下動すると共に脚部支持枠１９が前方下がりに傾斜していく。さらにスライド枠１７をスライドさせると、揺動部材２０は図８に示すように、スライド枠１７に突設される板状金具２２により支持固定され、脚部支持枠１９が略々スライド方向に保持される。以上が脚部支持枠１９の収納機構Ａである。
【００１８】
背部支持枠６の裏面側にはリンク機構２３が構成されている。このリンク機構２３は、主リンク２４の一端を背部支持枠６の中間部に枢着し、この主リンク２４の中間部と昇降フレーム３に突設したブラケット２５とを補助リンク２６により連結した構成となっている。すなわち、背部支持枠６の起伏作動によって前記主リンク２４の先端部が、上下方向の移動量が極めて少なく前後方向には十分移動されるようになっている。
【００１９】
２７は連結ロッドであり、前記主リンク２４の先端部とスライド枠１７とを連結している。すなわち、図９から図１１に示すように、背部支持枠６の起伏作動に連動して、スライド枠１７が前後に移動するように設けられ、背部支持枠６が起立した状態では脚部支持枠１９が腰部支持枠７の下方に移動するようになっている。
【００２０】
２８は、背部支持枠６と主リンク２４とを連結状態と非連結状態に切換可能な切換手段である。この切換手段２８は、図１２から図１４に示すように、背部支持枠６に横設される横杆２９に一対のブラケット３０，３０を突設し、このブラケット３０，３０間にフック部材３１を回動可能に設けている。また、前記ブラケット３０，３０の下部には、主リンク２４の端部に設けられた支軸３２が嵌脱可能な溝３０ａ，３０ａが形成されている。すなわち、支軸３２が溝３０ａ，３０ａに嵌合した状態で、図１２に示す状態にフック部材３１を回動させると、このフック部材３１が支軸３２の抜け止めとなり背部支持枠６と主リンク２４が連結状態となる。この連結状態からフック部材３１をフック部材３１を図１４に示すように回動させると、背部支持枠６を上動させても支軸３２が溝３０ａ，３０ａから抜け出る非連結状態となる。３３はフック部材３１と一体的に設けられる切換操作レバーであり、その操作部は背部支持枠６の側部に突出状態に位置するように設けられている。また、３４はキックスプリング、３５，３５は昇降フレーム３に横設されるＬ字ブラケット３６上に固着される支軸３２の受け部材である。
【００２１】
Ｍ１，Ｍ２はそれぞれ前側マットレス、後側マットレスを示す。この前側マットレスＭ１は前記背部支持枠６及び腰部支持枠７の上面に敷設され、平面視が前後に長い長方形に構成されている。また、後側マットレスＭ２は脚部支持枠１９上面に敷設されており、平面視が横方向に長い長方形に構成されている。
【００２２】
次に、上例の作用について説明する。
このベッドの上面に仰臥している身体障害者等が床面に足を垂らした椅子掛け状態に姿勢変換する場合、まず背上げアーム８を作動させて背部支持枠６を起立回動させていく。この起立回動初期段階では、図１０に示すように、背部支持枠６と腰部支持枠７のみが上動して腰部支持枠７と脚部支持枠１９の各端面が上下に離間し、身体障害者は膝が軽く屈曲した楽な姿勢になると共に脚部支持枠１９の前方スライドが容易になる空間が形成される。この状態からさらに背部支持枠６を起立回動させていくと、脚部支持枠１９が腰部支持枠７の下部に傾斜しながらスライドしていく。
【００２３】
そして、背部支持枠６の起立回動最終段階では、図１１に示すように、脚部支持枠１９が腰部支持枠７の直下部に位置する状態まで移動する。このとき、ベッド上の身体障害者等は足を床面に垂れ下げた椅子掛け状態になっており、ベッド側部に設けられる手摺等を手掛かりとして、容易に立ち上がることができる。
【００２４】
また、背部支持枠６が水平状態にあるときに切換手段２８を作用させて背部支持枠６と主リンク２４を非連結状態とすれば、図１５に示すように、背部支持枠６を起立回動させても脚部支持枠１９は固定されており、背部支持枠６のみを起立回動させて身体障害者の上半身だけを起こした姿勢にすることができ、極めて便利である。
【００２５】
【発明の効果】
以上のように、本発明にかかるベッドは、背部支持枠の起立回動に連動して脚部支持枠が腰部支持枠の下部に移動するように構成したから、ベッド上の身体障害者等は、無理な姿勢変換をすることなく、容易に足元が床面上に垂れ下がった椅子掛け状態に姿勢変換できる。また、切換手段により背部支持枠のみを起立回動することもできる。
【図面の簡単な説明】
【図１】本発明にかかるベッドの全体側面図
【図２】その平面図
【図３】昇降フレームを上昇させた状態を示す全体側面図
【図４】連動機構を示す側面図
【図５】その作用行程図
【図６】収納機構を示す側面図
【図７】その作用行程図
【図８】その作用行程図
【図９】各支持枠の連動作動行程図
【図１０】各支持枠の連動作動行程図
【図１１】各支持枠の連動作動行程図
【図１２】連結状態である切換手段を示す側面図
【図１３】その平面図
【図１４】非連結状態である切換手段を示す側面図
【図１５】切換手段を非連結状態としたときの各支持枠の作用を示す側面図
【符号の説明】
１  ベッド本体
６  背部支持枠
７  腰部支持枠
１３  連動機構
１９  脚部支持枠
２８  切換手段
Ａ  収納機構
Ｈ ヘッドボード
【図１】
0003903444.tif 000002
【図２】
0003903444.tif 000003
【図３】
0003903444.tif 000004
【図４】
0003903444.tif 000005
【図５】
0003903444.tif 000006
【図６】
0003903444.tif 000007
【図７】
0003903444.tif 000008
【図８】
0003903444.tif 000009
【図９】
0003903444.tif 000010
【図１０】
0003903444.tif 000011
【図１１】
0003903444.tif 000012
【図１２】
0003903444.tif 000013
【図１３】
0003903444.tif 000014
【図１４】
0003903444.tif 000015
【図１５】
0003903444.tif 000016